(57)【特許請求の範囲】
【請求項１】
放電ギャップをあけて配置した走査電極と維持電極とからなる電極対が、この電極対の間に隣接セル間ギャップを設けて走査電極と維持電極とが交互に並ぶように基板上に複数形成され、前記走査電極および維持電極はそれぞれ、前記走査電極および維持電極の伸長方向に伸びて形成された透明電極とバス電極とから構成されたプラズマディスプレイパネルにおいて、前記走査電極および維持電極それぞれを構成する前記透明電極の隣接セル間ギャップ側の端部に複数のスリットを設け、かつ前記隣接セル間ギャップを介して隣り合う走査電極および維持電極それぞれに設けられた前記スリットを、前記走査電極および維持電極の伸長方向に互いにずらして配置したことを特徴とするプラズマディスプレイパネル。
【請求項２】
電極対が形成された基板に対向して配置される基板上に前記電極対と垂直な方向に書き込み電極を形成することにより、電極対と書き込み電極との交差部に放電セルを形成し、かつその１個の放電セル内に走査電極および維持電極それぞれに設けたスリットが２つ以上存在するように形成したことを特徴とする請求項１に記載のプラズマディスプレイパネル。
【請求項３】
電極対の伸長方向に隣接して並んだ３つの放電セルで１つの表示画素を構成し、前記伸長方向における前記表示画素毎にほぼ同一パターン形状となるようにスリットを形成したことを特徴とする請求項１に記載のプラズマディスプレイパネル。
【請求項４】
スリットは、書き込み電極の伸長方向に長い形状を有していることを特徴とする請求項１に記載のプラズマディスプレイパネル。
【請求項５】
スリットは、放電ギャップから遠ざかるにしたがって幅が広くなる形状を有していることを特徴とする請求項１に記載のプラズマディスプレイパネル。
【請求項６】
スリットが三角形、台形またはＵ字形であることを特徴とする請求項５に記載のプラズマディスプレイパネル。
【請求項７】
走査電極および維持電極の放電ギャップ側の形状が直線状であることを特徴とする請求項１に記載のプラズマディスプレイパネル。
【発明の詳細な説明】
【０００１】
【発明の属する技術分野】
本発明は、プラズマディスプレイパネルに関するものである。
【０００２】
【従来の技術】
従来のＡＣ面放電型プラズマディスプレイパネルの斜視図を図６に示し、電極構造の図を図７に示す。図６に示すように、従来のパネル１では、ガラス製の表面基板２とガラス製の背面基板３とが対向して配置されているとともに、その間隙には放電によって紫外線を放射するガス、例えばネオンおよびキセノンが封入されている。図６では、図面を見やすくするために表面基板２と背面基板３とを実際よりも離して示している。
【０００３】
表面基板２上には、対を成すストライプ状の走査電極４と維持電極５とからなる電極対が互いに行方向に平行配列されており、走査電極４と維持電極５は誘電体層６で覆われ、誘電体層６上には保護膜７が形成されている。走査電極４および維持電極５はそれぞれ、導電性を高めるための金属母線４ａ、５ａと透明電極４ｂ、５ｂとから構成されている。透明電極４ｂ、５ｂは、放電を広げ、より大きな容積で放電が起こるようにする働きを有している。
【０００４】
背面基板３上には、走査電極４および維持電極５と直交する列方向に誘電体層１０に覆われたストライプ状の書き込み電極１１が互いに平行配列されており、またこの各書き込み電極１１を隔離し、かつ放電空間を形成するためのストライプ状の隔壁８が誘電体層１０上の書き込み電極１１間に設けられている。また、誘電体層１０上および隔壁８の側面には蛍光体層９が形成されている。
【０００５】
図７に示すように、走査電極４および維持電極５と書き込み電極１１との交差部に放電セルＣ１、Ｃ２・・・が形成される。なお、図７では例えば１行目に配置した走査電極４および維持電極５をそれぞれ走査電極４−１、維持電極５−１というように、ハイフォンのあとに行を表す数字を付けて示している。金属母線４ａ、５ａおよび透明電極４ｂ、５ｂについても同様の表記をして示している。このように構成されたパネル１は表面基板２側から画像表示を見るようになっており、放電空間内での走査電極４と維持電極５との間の放電により発生する紫外線によって蛍光体層９を励起し、この蛍光体層９からの可視光を表示発光に利用するものである。
【０００６】
次に、従来のパネルの駆動方法について、走査電極４、維持電極５、書き込み電極１１の各電極に印加される電圧波形の一例を示した図８を用いて説明する。
【０００７】
図８に示すように、まず初期化期間において、走査電極４に初期化パルスＶsetを印加し、パネルの放電セル内の壁電荷を初期化する。次に書き込み期間において、選択する放電セル以外の走査電極４にバイアス電圧Ｖscanをかけておき、選択する放電セルにはバイアス電圧Ｖscanを取り除くと同時に書き込み電極１１に書き込みパルスＶdataを印加し、書き込み放電を起こす。この書き込み放電によって、誘電体層６、保護膜７および蛍光体層９表面に壁電荷が蓄積される。同様の書き込み動作をパネル全面にわたって順次行い、表示する放電セルを選択する。
【０００８】
次に維持期間において、書き込み電極１１を接地し、走査電極４と維持電極５に交互に維持パルスＶsusを印加することによって、壁電荷が蓄積された放電セルでは保護膜７表面の電位が放電開始電圧を上回ることによって放電が発生し、維持パルスが印加される度に維持放電が行われる。その後消去期間において、消去パルスＶeraseを印加することによって壁電荷を消滅し、消去が行われる。
【０００９】
【発明が解決しようとする課題】
図６、図７に示すような従来のパネルにおいては、隔壁８に平行な方向（列方向）に隣接する放電セル間には仕切りがないため、放電が隣の放電セルに伸展してしまういわゆるクロストークが起こるという問題があった。特に、列方向に隣接する放電セルの間（隣接セル間ギャップＸｉｐｇ）の距離が小さくなると、顕著となる。したがって、高精細表示のパネルを提供する際には、セルピッチ（放電セルの配列ピッチ）が小さくなるため、クロストークの発生は特に大きな問題となる。これに対して、列方向に隣接する放電セルを隔離する第２の隔壁を設けるという手段が考えられているが、完全に放電セルを隔壁で囲ってしまうと、ガスを排気する工程が困難になる。また、表面基板２と背面基板３との間で、第２の隔壁の位置を正確に合わせる必要が生じ、製造が難しくなる。
【００１０】
本発明はこのような課題を解決するためになされたものであり、クロストークの発生を防止できるプラズマディスプレイパネルを提供することを目的とする。
【００１１】
【課題を解決するための手段】
この目的を達成するために、本発明のプラズマディスプレイパネルは、放電ギャップをあけて配置した走査電極と維持電極とからなる電極対が、この電極対の間に隣接セル間ギャップを設けて走査電極と維持電極とが交互に並ぶように基板上に複数形成され、前記走査電極および維持電極はそれぞれ、前記走査電極および維持電極の伸長方向に伸びる透明電極とバス電極とから構成されたプラズマディスプレイパネルにおいて、前記走査電極および維持電極それぞれを構成する前記透明電極の隣接セル間ギャップ側の端部に複数のスリットを設け、かつ前記隣接セル間ギャップを介して隣り合う走査電極および維持電極それぞれに設けられた前記スリットを、前記走査電極および維持電極の伸長方向に互いにずらして配置したものである。これにより、隣接セル間ギャップにおいて放電が起こりにくくなる。
【００１２】
【発明の実施の形態】
以下、本発明の一実施の形態について図１〜図５の図面を用いて説明する。なお、図１〜図５において図６〜図８に示す部分と同一部分については同一番号を付している。
【００１３】
（実施の形態１）
図１は本発明の実施の形態１によるプラズマディスプレイパネルを示す図であり、走査電極、維持電極、隔壁および書き込み電極の位置関係がわかるように示した概略平面図である。なお、本発明のプラズマディスプレイパネルの全体構成は、図６に示す従来のパネルの構成とほぼ同様であり、異なる点は走査電極および維持電極の構造である。また、パネルの駆動方法は図８を用いて説明した従来の駆動方法と同じである。
【００１４】
まず、本発明の実施の形態１にかかるパネルは、図６に示した従来のパネルと同様に、ガラス製の表面基板２とガラス製の背面基板３とが間に放電空間を形成するように対向して配置されている。放電空間には、放電ガスとしてたとえばキセノン（Ｘｅ）とネオン（Ｎｅ）との混合ガスが封入されている。
【００１５】
表面基板２上には、図１に示すような形状の走査電極１２と維持電極１３とからなる電極対が行方向に伸びて、走査電極１２と維持電極１３とが交互に並ぶように複数配列されており、走査電極１２および維持電極１３は誘電体層６で覆われている。誘電体層６上には、酸化マグネシウム（ＭｇＯ）等のように耐スパッタ性が高く、二次電子放射係数の大きい材料からなる保護膜７を形成している。
【００１６】
背面基板３上には、列方向に伸びる複数の書き込み電極１１が配列形成されており、この書き込み電極１１を覆って誘電体層１０が形成されている。放電空間を形成するためのストライプ状の隔壁８が誘電体層１０上の書き込み電極１１間に設けられている。隣接する隔壁８の間には、誘電体層１０上および隔壁８の側面を覆うように蛍光体層９が形成されている。蛍光体層９は、書き込み電極１１の伸長方向（列方向）には同色の蛍光体材料を用いて形成されており、電極対の伸長方向（行方向）には、例えば赤色、緑色、青色の順に三原色の蛍光体材料を順次用いて形成されている。
【００１７】
このパネルは表示面側である表面基板２側から画像表示を見るようになっており、放電空間内の放電により発生する紫外線によって蛍光体層９を励起し、発生する可視光を表示発光に利用するものである。
【００１８】
次に、本発明の実施の形態１にかかる電極構造について図１を用いて説明する。図１において、破線で囲った領域は放電セルの領域を表しており、走査電極１２および維持電極１３と書き込み電極１１との交差部に形成される。すなわち、図１においては、走査電極１２−１および維持電極１３−１と書き込み電極１１との交差部に放電セルＣ１が形成され、走査電極１２−２および維持電極１３−２と書き込み電極１１との交差部に放電セルＣ２が形成される。電極対の伸長方向に隣接して並んだ赤色、緑色および青色を表示する３つの放電セルにより、図１中に一点鎖線で示すような１つの表示画素１６が構成される。
【００１９】
同じ放電セル内の走査電極１２と維持電極１３、例えば走査電極１２−１と維持電極１３−１は放電ギャップＸｍｇを介して配置されており、放電ギャップＸｍｇで発生させる放電を主に表示に利用する。また、隣接した放電セル間、例えば維持電極１３−１と走査電極１２−２との間には隣接セル間ギャップＸｉｐｇが設けられ、走査電極１２と維持電極１３とからなる電極対の間に隣接セル間ギャップＸｉｐｇが設けられている。
【００２０】
走査電極１２および維持電極１３は、それぞれ金属製のバス電極１２ａ、１３ａとインジウムスズ酸化物（ＩＴＯ）等からなる透明電極１２ｂ、１３ｂとから構成されている。バス電極１２ａ、１３ａは電極全体の抵抗を下げる役割を有し、透明電極１２ｂ、１３ｂは放電の広がる領域を規定している。そして、走査電極１２および維持電極１３の透明電極１２ｂ、１３ｂそれぞれの隣接セル間ギャップＸｉｐｇ側には、切り込みによるスリット１４が設けられている。
【００２１】
本実施の形態によるパネルでは、走査電極１２および維持電極１３それぞれの隣接セル間ギャップＸｉｐｇ側にスリット１４を設けているので、走査電極１２および維持電極１３の隣接セル間ギャップＸｉｐｇ側の電気容量が小さくなるため、この部分における壁電荷の蓄積量が小さくなり、隣接セル間ギャップＸｉｐｇにおいて放電が起こりにくくなる。
【００２２】
本実施の形態の電極構造において、維持電極１３−１に１００Ｖを印加した場合に誘電体層６上に現れる電位分布（等電位線）を図２（ａ）に示し、図７に示した従来の電極構造において維持電極５−１に１００Ｖを印加した場合に誘電体層６上に現れる電位分布を図２（ｂ）に示す。図中の数値は電位（Ｖ）を表しており、破線は維持電極５−１、１３−１を形成した領域を表している。維持電極５−１、１３−１と放電空間との間には誘電体層６が存在しているため、実際に放電動作に関係するのは、このように誘電体層６表面に現れる電位になる。この電位の大きさは、誘電体層６の誘電率や厚み等によって変化する。
【００２３】
図２（ａ）と図２（ｂ）を比較すれば明らかなように、図２（ａ）のようにスリット１４を設けた維持電極１３−１の場合、スリット１４のない部分にもスリット１４の影響が及んで電位が低くなっていることが分かる。これにより、隣接セル間ギャップＸｉｐｇを挟んで隣り合う放電セル間の電位差も小さくなり、また蓄積される壁電荷量も小さくなる。
【００２４】
本実施の形態において、さらに効果を高めているのは、図１において、維持電極１３−１と走査電極１２−２のそれぞれに設けられたスリット１４の位置関係である。つまり、維持電極１３−１に設けたスリット１４と走査電極１２−２に設けたスリット１４とが向かい合って配置されないように、走査電極１２−１および維持電極１３−１の伸長方向に互いに位置をずらして形成している。これは、図２（ａ）に示すように、スリット１４を設けても、スリット１４に挟まれた突起部１５の中央の電位は比較的高くなるためであり、突起部１５は維持電極１３−１に正の電圧を印加した場合比較的高い電位となり、そのため放電によって負の壁電荷がためられる量も多くなる。すなわち、維持放電の際の電位変化の振幅が相対的に大きい部分となる。それに対し、スリット１４の部分は、正の電圧を印加したときの電位が低いため、ためられる負の壁電荷量も少なく、結果として電位変化の振幅は小さくなる。
【００２５】
したがって、電位変化の振幅の大きい突起部１５が隣接セル間ギャップＸｉｐｇを介して向き合わないようにすることで、図１のような電極配列の場合には維持電極１３−１と走査電極１２−２との間の電位差が小さくなり、クロストーク放電が起こりにくくなる。
【００２６】
さらに、本実施の形態においては、走査電極１２および維持電極１３ともに、放電ギャップＸｍｇ側の形状は平行な直線状であり、隣接セル間ギャップＸｉｐｇ側のみ、放電を起こりにくくするためにスリット１４を設けている。これは、同じように放電ギャップＸｍｇ側にもスリット１４や、それと似たような電極構造を有していると、放電ギャップＸｍｇにおける放電開始電圧が上昇したり、放電ギャップＸｍｇ付近における壁電荷の蓄積量が減少するため、放電が起こりにくくなってしまう。そこで、走査電極１２および維持電極１３の形状を、放電ギャップＸｍｇ側で平行な直線状とし、隣接セル間ギャップＸｉｐｇ側にスリット１４を設けることにより、隣接セル間ギャップＸｉｐｇでは、蓄積壁電荷を減らし放電を起こりにくくし、逆に放電ギャップＸｍｇでは放電を起こりやすくしている。
【００２７】
なお、これまで述べたように放電ギャップＸｍｇを挟んで走査電極１２と維持電極１３とが向かい合う部分が平行であって、隣接セル間ギャップＸｉｐｇ側においてスリット１４を設けた電極構造であれば、それ以外の電極の部分の構造は任意のものでよい。例えば、走査電極１２、維持電極１３において、スリット１４と放電ギャップＸｍｇ側の端部との中央付近に、所定形状の孔を設けて電流を削減してもよい。また、走査電極１２と維持電極１３とが向かい合う平行な部分が、走査電極１２および維持電極１３の伸長方向（行方向）と平行でなくともよい。
【００２８】
さらに、本実施の形態において、スリット１４は走査電極１２や維持電極１３の伸長方向に対して垂直な方向（列方向）、すなわち書き込み電極１１の伸長方向に長い形状としている。これは、維持放電を自然に起こすためであり、さらに輝度を低下させないためである。
【００２９】
例えば、図３（ａ）のように、行方向に長いスリット１４を設けた場合、放電は、図に網掛けで示すように突起部１５に沿って広がり、スリット１４の部分にはほとんど放電が及ばなくなってしまう。その原因としては、突起部１５と突起部１５の間が空きすぎてしまうために、スリット１４の部分を覆う誘電体層６上に現れる電位が低くなりすぎてしまい、スリット１４上の領域まで放電を引き寄せることができなくなってしまうからであり、また、壁電荷の蓄積が小さくなりすぎて、放電による電荷の移動がスリット１４上の領域まで及ばないからである。
【００３０】
これによって、スリット１４上の領域に発光分布として暗い部分ができてしまうとともに、放電の広がりが２つ以上の部分に分かれてしまうために、放電が不安定になることがある。したがって、突起部１５と突起部１５との間をある程度近づけ、プラズマ領域が２つ以上の部分に分かれてしまわないようにするために、スリット１４の幅（行方向長さ）をその深さ（列方向の長さ）に比べて短くするのが好ましい。すなわち、スリット１４は書き込み電極１１の伸長方向（列方向）に長い形状を有しているのが好ましい。
【００３１】
また、走査電極１２および維持電極１３のそれぞれに、スリット１４を１つの放電セルに対して２つ以上設けているのが好ましい。これにより、表面基板２と背面基板３との位置合わせを容易にすることができる。スリット１４の位置が放電セルに１つしか存在しないとすると、そのスリット１４の位置によって放電の広がり方が変わってしまうことになる。例えば、各放電セルに１つづつ対応するように所定のパターン形状の透明電極が配置された構造（特開２０００−２４３２９９号公報）や、図３（ｂ）のような構造にした場合、表面基板２と背面基板３との位置合わせにずれが起こり、突起部１５の位置がほとんど隔壁８に近い位置に配置されてしまうと、隔壁８の壁面の効果で突起部１５に十分放電が広がらず、輝度がさらに低下してしまう。さらに、そのずれ方がパネル面内で放電セルによってばらつくと、大きな輝度ばらつきとなってしまう。これは、スリット１４の数が放電セルに対して１個の割合であるためである。さらに、図３（ｂ）の構造の場合、図中に網掛けで示すように、放電は突起部１５の周辺に広がることなく突起部１５のみになってしまい、輝度が低下してしまう。輝度を確保するためには、突起部１５の幅を広くする必要があるが、広くするほどクロストークの発生を抑制する効果は低下してしまう。
【００３２】
これに対し図４や図１に示すように、スリット１４を１つの放電セルに２つ以上の割合で形成することにより、位置合わせ精度によらず同じ放電状態が得られ、また図４中に網掛けで示すように放電の広がる範囲も確保することができる。また、突起部１５を放電ギャップＸｍｇから外に向かう方向に連続させることで、放電の広がりが自然に起こり、放電が不安定になることもない。
【００３３】
さらに、所定のスリット１４を設けた電極パターン形状が走査電極１２および維持電極１３の伸長方向における表示画素１６毎にほぼ同一パターン形状で繰り返されるように構成しておけば、ある画素とそれに隣接する画素において走査電極１２および維持電極１３の電極形状が常に等しくなるため、電極形状の違いによる輝度むら等を発生しない。なお、表示画素１６を形成する放電セルにおいて、赤色を表示する放電セルの電極形状と青色を表示する放電セルの電極形状を同一にする必要はなく、表示画素１６単位で電極形状がほぼ同一となるようにスリット１４を形成するようにしておけばよい。
【００３４】
（実施の形態２）
本発明の実施の形態２による電極構造を図５（ａ）〜（ｃ）に示しており、これらの図は走査電極１２にスリット１４を設けた場合を示している。本実施の形態２の電極構造では、スリット１４の幅が放電ギャップＸｍｇから遠ざかるにつれ大きくなるような形状にしており、例えば、スリット１４の形状は図５（ａ）のような三角形、図５（ｂ）のような台形、図５（ｃ）のようなＵ字形等が考えられる。スリットの形状以外の構成および得られる効果については実施の形態１と同様であり、隣接セル間ギャップＸｉｐｇを挟んで隣接する電極間の電位差、および隣接セル間ギャップＸｉｐｇ付近に蓄積する壁電荷量が少なくなるため、クロストークの発生を抑制するのにさらに効果がある。また、放電が外に広がるにつれて、徐々に電位が低下し、蓄積壁電荷が少なくなっていくため、放電を自然に広げることができる。
【００３５】
なお、本発明において、隔壁８よりやや低い隔壁を隣接する放電セル間に配置すれば、さらにクロストークの発生を抑制する効果を高めることができる。また、上記の説明では、行方向に並ぶ赤、青、緑の色を表示する３つの放電セルを組み合わせて１つの表示画素とする場合を用いて説明したが、本発明の効果は画素配列の形態によらず得られる。
【００３６】
また、駆動方法は図８を用いて説明した従来の駆動方法と同じであるが、初期化波形や維持波形などが全く図８の通りである必要はなく、走査電極１２、維持電極１３および書き込み電極１１の３つの電極による書き込み放電と、その後に続く維持放電を起こすように駆動すればよい。
【００３７】
【発明の効果】
以上のように本発明によれば、クロストークによる表示不良を防止したプラズマディスプレイパネルを提供することができる。
【図面の簡単な説明】
【図１】本発明の実施の形態１によるプラズマディスプレイパネルの電極構造を表す概略平面図
【図２】（ａ）は本発明の電極構造における電位分布を表す等電位線図
（ｂ）は従来の電極構造における電位分布を表す等電位線図
【図３】（ａ）はスリット幅が広い場合の放電の広がりを表す概略平面図
（ｂ）は突起部を放電セルに１つ配置した場合の放電の広がりを表す概略平面図
【図４】本発明のプラズマディスプレイパネルにおいて放電セルにスリットを２つ設けた場合の放電の広がりを表す概略平面図
【図５】（ａ）〜（ｃ）は本発明の実施の形態２によるプラズマディスプレイパネルの電極構造を表す概略平面図
【図６】従来のプラズマディスプレイパネルの要部を表す斜視図
【図７】従来のプラズマディスプレイパネルの電極構造を表す概略平面図
【図８】従来のプラズマディスプレイパネルの駆動方法を表す波形図
【符号の説明】
１  パネル
２  表面基板
３  背面基板
４、１２  走査電極
５、１３  維持電極
６、１０  誘電体層
７  保護膜
８  隔壁
９  蛍光体層
１１  書き込み電極
１４  スリット
１５  突起部
１６  表示画素
【図１】
0003882566.tif 000002
【図２】
0003882566.tif 000003
【図３】
0003882566.tif 000004
【図４】
0003882566.tif 000005
【図５】
0003882566.tif 000006
【図６】
0003882566.tif 000007
【図７】
0003882566.tif 000008
【図８】
0003882566.tif 000009